(57)【要約】【課題】  使用されないときには折り畳むことができて嵩低くでき、使用に際しては展開状態を維持できる構成とされ、取扱いを容易にした日除けを提供する。【解決手段】  遮光機能を備えて折り曲げ可能な可とう性材料で所要寸法に形成される遮光ウエブ材２に、緊張部材３，３'をその両端で一体的に取付けて、前記一方の緊張部材３に吊り掛け金具６を取付けてなる日除け１であって、前記緊張部材３，３′は中間部で分断され、その緊張部材３（３′）の分断部分３ａには、使用時に外部から所要区間で緊張部材３（３′）の外周面を被覆して一体的に繋いで前記遮光ウエブ材２を展開保持する着脱固定可能な継ぎ手部材４が装着されている。【選択図】  図１
2005163332.tif 000002
【特許請求の範囲】
【請求項１】
遮光機能を備えて折り曲げ可能な可とう性材料で所要寸法に形成される遮光ウエブ材に、緊張部材をその両端で一体的に取付けて、一方の緊張部材側に吊り掛け具を配設してなる日除けであって、前記緊張部材は中間部の少なくとも１箇所で分断され、その緊張部材の分断部分には、使用時に外部から所要区間で緊張部材の外周面を被覆して一体的に繋いで前記遮光ウエブ材を展開保持する着脱固定可能な継ぎ手部材が装着されていることを特徴とする日除け。
【請求項２】
継ぎ手部材は前記緊張部材を両側から包み込むようにする一対の抱持部片と、その両抱持部片を開閉自在に繋ぐ細幅の接続部片とを、その接続部片の長手両側に沿いヒンジ構造で連結され、各抱持部片の自由端には、一方の抱持部片側に複数の係止突起が所要ピッチで接合面に直交して突設され、他方の抱持部片に形成される接合面に、対向する係止突起と接して係合する係止孔が設けられ、その係止孔に前記係止突起を係合させると両抱持部片が閉じ合って前記緊張部材の分断部を直線状に連結保持する構成とされる請求項１に記載の日除け。
【請求項３】
前記緊張部材で緊張保持される前記遮光ウエブ材における緊張部材の分断箇所近傍には、前記継ぎ手部材の係止突起が貫通する孔が配設されている請求項１に記載の日除け。
【請求項４】
一方の緊張部材による遮光ウエブ材の取付け両端部には、自由端に掛け止め具を備える伸縮可能な係止紐の基端部を固着され、遮光ウエブ材が巻き込み状態で前記両係止紐先端部に付した掛け止め具を掛け合わせると遮光ウエブ材の巻き込みを任意位置で固定保持できる構成である請求項１に記載の日除け。
【発明の詳細な説明】
【技術分野】
【０００１】
本発明は、家屋の窓などの外部に吊下げ配置して日差しを遮るのに使用される日除けに関するものである。
【背景技術】
【０００２】
従来、一般に強い日差しを遮るのに最も簡便な手段として、家屋の窓などに「すだれ」を吊下げて使用されている。また、最近では通気性のあるシートあるいは織物で作成されたブラインドスクリーンが使用されている。ところで、これら日除けは、その販売に当たって、通常巻き付けて嵩低くなるようにして包装され、取り扱いが容易なようにされている。
【０００３】
一方、この種の商品は、使用される箇所が建築手法上標準寸法に仕上げられている関係から、幅寸法などが所定寸法に仕上げられて販売されている。また、窓枠などを利用して取付けられた吊金具に掛け止めて吊下げるようにされているので、その上下端部には剛性の高い緊張部材がそれぞれ付され、使用時に吊下げられる遮光部が展開状態を維持できるようにされている。そして、上下両端部の緊張部材は、所要幅寸法に相当する長さの一本ものであるので、吊下げられる遮光部分は前記緊張部材の長さ寸法で吊下げ長さ相当分を巻き付けるか吊下げ長さ方向に適宜寸法で折り畳むようにして取り扱われている。
【０００４】
また、通常、「すだれ」のような日除けは、窓枠外に配設された吊金具に、上端部の緊張部材に付設の掛け金で吊り掛けて垂らした状態にて使用されるので、日差しが室内まで入らない状態になると不要になるが、不要になると取り外すのは厄介であるので、巻き上げるようにして使用される。このとき、下端部から巻き上げた遮光部分を保持するのに、「すだれ」を形成する多数編まれた横材間に別途紐を通して縛るなどして仮保持している。あるいはこの操作が容易なようにする巻き上げ器についての提案がなされている（特許文献１参照）。
【０００５】
【特許文献１】特開２００２−１９１４９５号公報
【発明の開示】
【発明が解決しようとする課題】
【０００６】
しかしながら、従来、汎用されている「すだれ」やこれに類する日除けは、全体的に嵩張り、特に「すだれ」の場合、その構成上編み上げられている横材が、天然物の葦や竹ひごあるいは合成樹脂製の細いパイプ材というように折り曲げると用を成さない材料が使用されているので、生産者から需要者までの流通段階での取り扱いが不便であると同時に、輸送コストが嵩むという問題点がある。また、使用者も例えば日差しの強い季節を過ぎて使用しなくなると、嵩張るために収納するのに不便であるという問題がある。
【０００７】
また、使用時にも前述のように「すだれ」を巻き上げて仮保持するのに別途に紐を準備しておいてその紐を用いて「すだれ」の一部を通して縛るというような操作を行うのでは不便である。もっとも、前記特許文献１によって知られるような器具を予め付設しておけば、取り扱いが便利になるが、別途器具を購入する必要があり、その分コストが高くなる。
【０００８】
本発明は、このような問題点を解消するためになされたもので、使用されないときには折り畳むことができて嵩低くでき、使用に際しては展開状態を維持できる構成とされ、取扱いを容易にした日除けを提供することを目的とするものである。
【課題を解決するための手段】
【０００９】
前記目的を達成するために、本発明の日除けは、
遮光機能を備えて折り曲げ可能な可とう性材料で所要寸法に形成される遮光ウエブ材に、緊張部材をその両端で一体的に取付けて、一方の緊張部材側に吊り掛け具を配設してなる日除けであって、前記緊張部材は中間部の少なくとも１箇所で分断され、その緊張部材の分断部分には、使用時に外部から所要区間で緊張部材の外周面を被覆して一体的に繋いで前記遮光ウエブ材を展開保持する着脱固定可能な継ぎ手部材が装着されていることを特徴とするものである（第１発明）。
【００１０】
前記発明において、継ぎ手部材は前記緊張部材を両側から包み込むようにする一対の抱持部片と、その両抱持部片を開閉自在に繋ぐ細幅の接続部片とを、その接続部片の長手両側に沿いヒンジ構造で連結され、各抱持部片の自由端には、一方の抱持部片側に複数の係止突起が所要ピッチで接合面に直交して突設され、他方の抱持部片に形成される接合面に、対向する係止突起と接して係合する係止孔が設けられ、その係止孔に前記係止突起を係合させると両抱持部片が閉じ合って前記緊張部材の分断部を直線状に連結保持する構成とされるのがよい（第２発明）。
【００１１】
前記緊張部材で緊張保持される前記遮光ウエブ材における緊張部材の分断箇所近傍には、前記継ぎ手部材の係止突起の貫通する孔が配設されているのがよい（第３発明）。
【００１２】
前記第１発明において、一方の緊張部材による遮光ウエブ材の取付け両端部には、自由端に掛け止め具を備える伸縮可能な係止紐の基端部を固着され、遮光ウエブ材が巻き込み状態で前記両係止紐先端部に付した掛け止め具を掛け合わせると遮光ウエブ材の巻き込みを任意位置で固定保持できる構成であるのがよい（第４発明）。
【発明の効果】
【００１３】
第１発明によれば、遮光ウエブ材に折り曲げ可能な可とう性材料を用いて構成し、使用時には展開保持できる機能を備え、使用まであるいは使用済みとなって収納する時には、前記遮光ウエブ材を両端部で展開保持させるために固着される緊張部材が分断箇所で畳めるようにできるので、全体を折り畳むとともに巻き込むなどすると短い長さになって嵩低くできるので、収容容積を小さくできるという効果を奏する。したがって、製品として出荷する場合の包装費や輸送費も低減できて安価に提供できる。また、需要者としても保管に際して小スペースで収容できることになり利便性が高められる。また、展開保持ができて折り畳みもしくは巻き込みができるので、遮光ウエブ材として従来の直線状の材料を用いる以外のシート材を選択使用できるという副次的効果が得られる。
【００１４】
前記第２発明の構成を採用することにより、剛性を備える緊張部材の分断された部分を外側から包み込んで一直線に連結できるので、遮光ウエブ材を展開状態で保持させることができるという効果を奏する。しかも、継ぎ手部材で外側から緊張部材を包むようにして、固定する際に、開閉可能にされた継ぎ手部材の抱持部片自由端部を、接合面に設けられた係止突起と係止孔との係合で固定させ、同時に緊張部材によって保持される遮光ウエブ材も挟み込むことにより、その継ぎ手部材が緊張部材に沿って横移動することなく確実に連結させることができるという利点がある。
【００１５】
前記第３発明の構成を採用することにより、緊張部材を一直線に連結するときや連結を解くときに、遮光ウエブ材に設けられる孔を介して係止突起を係止孔に係合させるようにすることで継ぎ手部材の緊結・解除の操作が容易に行えるという利点がある。またその孔の存在で緊張部材の分断を連結する継ぎ手部材の取付け位置を確定できて連結時の操作を正確に行えるという効果を奏する。さらに、継ぎ手部材の脱着の繰り返しにより係止突起による遮光ウエブ材への無駄な外力を加えないので、損傷するのを予防できるという利点がある。
【００１６】
また、第４発明の構成を採用することにより、この日除けの下部を巻き上げて部分的に遮光するような場合、巻き込んだ遮光ウエブ材をその芯になっている緊張部材の両端から引き出された係止紐の端部に取り付く掛け止め具同士を掛け合わせることにより、巻かれた遮光ウエブ材を前記係止紐によって外側から押さえ込んで仮固定することができる。したがって、遮光ウエブ材を任意の位置まで巻き上げて別途部品を必要とせずに固定することができるという利点がある。もちろん使用時期を終えて収納するに際しても、巻き込んだ遮光ウエブ材を前記要領で外部から固定して嵩低く収容できる。
【発明を実施するための最良の形態】
【００１７】
次に、本発明による日除けの具体的な実施の形態について、図面を参照しつつ説明する。
【００１８】
図１には、本実施形態の日除けの全体斜視図が示されている。図２には、緊張部材の分断箇所を連結する継ぎ手部材の正面図（ａ）と装着状態での要部の断面図（ｂ）が示されている。図３には、継ぎ手部材を展開状態で表わす図が示されている。
【００１９】
この実施形態の日除け１は、表面側に遮光効果のある積層構造の編み物で形成される所要寸法で方形の遮光ウエブ材２と、この遮光ウエブ材２の上下両端部に固着されて使用時に前記遮光ウエブ材２を緊張させる緊張部材３，３′と、それら上下の緊張部材３，３′の中間部で分断された部分を連結する継ぎ手部材４および下側の緊張部材３′の両端部から引き出して遮光ウエブ材２を巻き込んだとき固定するための係止紐５，５とで構成されている。なお、上側の緊張部材３には二箇所に吊り掛け具６が付されている。
【００２０】
前記遮光ウエブ材２は、軟質の合成樹脂材にてなる紐状のものを縦編みされてなるウエブで、表面側にアルミニウムの皮膜層（図示省略）を形成され、編み込み部分で透光する構造にされたものが用いられる（ただしこれに限定されない）。そして、このようなウエブをその周囲で縁布（テープ）７にて縫製され、かつ遮光ウエブ面の中央で接合して幅方向に折り畳み可能なように形成されている。なお、その中央部の接合箇所でテープ７′を縫合し、折り畳み時に端部が損傷しないように形成されている。
【００２１】
前記遮光ウエブ材２の上下端に取り付く緊張部材３，３′は、薄肉で断面が偏平中空状にして、その長径一端部で「の」の字状に形成され、その内部に開口部分から前記遮光ウエブ材の端部を全幅収容して保持できるものである（図２（ｂ）に二点鎖線ｂで表わす）。そして中央位置で分断され、前記遮光ウエブ材２とともに幅方向で二つ折りにして畳めるようにされている。
【００２２】
このような緊張部材３を分断部３ａで連結するための継ぎ手部材４は、図２および図３で示されるように、適宜細幅の接続部片４１の長手両側に薄肉折り曲げ自在なヒンジ構造４２で抱持部片４３，４４をそれぞれ一体に連結された合成樹脂製のものである。その全長は前記緊張部材３の分断部３ａを抱持して直線状に維持できるに要する寸法（縦×長さがほぼ１：８）にてなり、前記両抱持部片４３，４４の自由端部の内側を接合面４５，４６にされ、この一方の接合面４５には所要の間隔で複数の係止突起４７が突設されており、他方の接合面４６には係止孔４８が前記係止突起４７位置に対応して設けられている。そして、両抱持部片４３，４４は閉じた状態にすると、前記緊張部材３の外面を覆って挟み込み得るように接合面形成部以外の部分を彎曲形成されている。
【００２３】
また、前記係止紐５は、ゴム糸を編み込んだ伸縮可能な所要長の紐で、基端部を遮光ウエブ材２の下端両側にてテープ７に縫着され、先端には鉤片を備える掛け止め具８がそれぞれ取り付けられている。
【００２４】
このように構成される日除け１は、使用に際して図１で示されるように、上下両端部に取り付く緊張部材３，３′を継ぎ手部材４，４にて一直線に保持されて遮光ウエブ材２を展開状態に保ち、掛け具６，６によって予め用意されている窓枠などに取り付く掛け金に引っ掛けて使用される。このとき遮光ウエブ材２の表面を外側にして使用すれば、そのウエブ面に付されているアルミニウムの皮膜層が紫外線などを遮蔽することができる。なお、この遮光ウエブ材２は編み込みの際の縦糸部分を透光状態に形成されて適度な採光ができ、室内の明るさを確保できる。
【００２５】
また、遮光ウエブ材２を全開状態にして使用されるときは、下端部に付されている係止紐５，５の両端部に付されている掛け止め具８，８の鉤部同士を係合させると、下端部の緊張部材３′に沿って体裁よく保持させることができる（図１参照）。
【００２６】
日差しの変化で日除けの一部を巻き上げて使用するときには、図４に例示されるように、係止紐５，５をフリーの状態にして、下端の緊張部材３′を軸として所要の位置まで遮光ウエブ材２を巻き上げる。その後に両係止紐５，５を遮光ウエブ材２の巻かれた部分の外側を押えるようにして先端の掛け止め具８，８の鉤部同士を係合させると、両係止紐５，５の弾性力によって巻かれた遮光ウエブ材２部分が押えられてそのまま保持される。
【００２７】
また、日除けを使用しなくなって保管するときには、遮光ウエブ材２を展開状態で下端部から巻き込んでそのまま保管するほかに、緊張部材３，３の分断部３ａを連結している継ぎ手部材４を取り外すことにより、遮光ウエブ材２を幅方向に二つ折りして畳んで収納することもできる。
【００２８】
折り畳んで収納する場合は、まず継ぎ手部材４を抱持部片４３，４４の接合部端で外向きに力を加えて係止突起４７と係止孔４８との係合を解く。次いで両抱持部片４３，４４を開いて緊張部材３（３′）から取り外すと、緊張部材３（３′）の分断部３ａ（中間部）がフリーになり、遮光ウエブ材２が軟質材料で形成されているので、大きな抵抗を受けることなく、図５に例示するように、その分断部３ａ位置から二つに折り曲げることができる。こうすると、日除け１全体が幅方向の中央部近傍で折り畳まれるので、以後全体を適宜寸法で平らに折り畳んで収納容易な状態とすることができる。この場合は遮光ウエブ材２が巻かれていないので取り扱いも容易である。なお、上下の継ぎ手部材４，４は、開いた状態もしくは組立てて折り畳まれた日除け１とともに保管すればよい。
【００２９】
一方、折り畳まれた日除け１を使用できる状態にするには、遮光ウエブ材２を展開させて、分断されている緊張部材３（３′）の分断部３ａに対して継ぎ手部材４を覆い被せて一方の抱持部片４３に付設される係止突起４７を遮光ウエブ材２の緊張部材３（３′）寄りに設けられている孔９にそれぞれ挿通し、その後に他方の抱持部片４４における接合面４６上の係止孔４８に前記係止突起４７を係合させて閉じ合わせると、各係止突起４７と係止孔４８とによって継ぎ手部材４が固定され、緊張部材３，３′が緊張状態に固定されて使用状態となる。
【００３０】
このようにして緊張部材３，３′が継ぎ手部材４，４によって直線状に連結されたなら、その継ぎ手部材４は閉じ合わせのための係止突起４７が遮光ウエブ材２に設けられている挿通用の孔９を通って係止孔４８に係合されるので、継ぎ手部材４が緊張部材３（３′）の連結後にずれたりすることもなく固定状態を維持され、支障を来たすことがない。
【００３１】
本実施形態の日除け１は、上述のように折り畳んで嵩低く収容できるので、需要者の利便性はもとより、製品として販売するに当たっても、小さくまとめて包装することが可能になり、荷扱いが容易になるので包装や運搬費用を低減できるという効果も併せ得られるのである。また、前記緊張部材の中間部での分断箇所については、図示省略するが複数箇所で分断して、その分断箇所に前記要領で継ぎ手部材をあてがって直線状に連結することができる。このようにすれば、日除けをより小さく折り畳むことが可能になる。また、幅広い遮光ウエブ材を用いた日除けの場合に嵩低くして取り扱うことができるという利点がある。なお、このように複数箇所で分断した緊張部材を使用する場合は、その分断する箇所を連結する継ぎ手部材のうち、上側の緊張部材の端寄り位置になる継ぎ手部材に、吊り掛け具を一体的に取付けたもの、または吊り掛け部を一体に成形したものを用いるようにすればよい。
【００３２】
以上の説明においては、遮光ウエブ材２として軟質の合成樹脂材にてなる紐状のものを編成してなるものを用いているが、これに限定されるものではなく、折り畳みが可能であれば例えば通気性ならびに透光性を有するシートなどを用いるものについても適用できることは言うまでもない。
【図面の簡単な説明】
【００３３】
【図１】本実施形態の日除けの全体斜視図
【図２】緊張部材の分断箇所を連結する継ぎ手部材の正面図（ａ）と装着状態での要部の断面図（ｂ）
【図３】継ぎ手部材を展開状態で表わす図
【図４】遮光ウエブ材の一部を巻き上げた状態を表わす斜視図
【図５】日除けを折り畳んだ状態で表わす図
【符号の説明】
【００３４】
１    日除け
２    遮光ウエブ材
３，３′    緊張部材
３ａ    緊張部材の分断部
４    継ぎ手部材
５    係止紐
６    吊り掛け具
８    掛け止め具
９    ウエブ材にあけた係止突起を挿通する孔
４２    ヒンジ構造
４３，４４    抱持部片
４５，４６    接合面
４７    係止突起
４８    係止孔
【図１】
2005163332.tif 000003
【図２】
2005163332.tif 000004
【図３】
2005163332.tif 000005
【図４】
2005163332.tif 000006
【図５】
2005163332.tif 000007